(57)【要約】【課題】イメージセンサの移動により屈曲しながら移動するビデオケーブルを有する画像読み取り装置において、ビデオケーブルを筐体及びノイズ遮蔽板と接触させながら移動させることで放射ノイズの発生を低減させる。【解決手段】イメージセンサを含む光学系を保持したキャリッジと、前記キャリッジを移動させるためのモータと、前記キャリッジ及び前記モータを制御するための制御基板と、前記キャリッジと前記制御基板間の信号伝送を行うために接続されるフレキシブル型またはカード型のケーブルと、前記制御基板を覆うと共に画像読み取り装置の筐体と電気的に接続されるノイズ遮蔽板と、前記筐体と前記ノイズ遮蔽板との間の高さの差を無くすための勾配を有し、且つ、前記ケーブルに接触させるために前記ケーブルの下側に配置され、且つ、前記筐体と前記ノイズ遮蔽板と電気的に接続される板金から構成される。【選択図】        なし【特許請求の範囲】
【請求項１】
イメージセンサを含む光学系を保持したキャリッジを原稿台ガラスの下面に沿って移動させて前記原稿台ガラス上に載置された原稿上の画像を前記イメージセンサを用いて読み取る画像読み取り装置において、前記キャリッジを移動させるためのモータと、前記キャリッジ及び前記モータを制御するための制御基板と、前記キャリッジと前記制御基板間の信号伝送を行うために接続されるフレキシブル型またはカード型のケーブルと、前記制御基板を覆うと共に画像読み取り装置の筐体と電気的に接続されるノイズ遮蔽板と、前記筐体と前記ノイズ遮蔽板との間の高さの差を無くすための勾配を有し、且つ、前記ケーブルに接触させるために前記ケーブルの下側に配置され、且つ、前記筐体と前記ノイズ遮蔽板と電気的に接続される板金を有することを特徴とする画像読み取り装置。
【請求項２】
イメージセンサを含む光学系を保持したキャリッジを原稿台ガラスの下面に沿って移動させて前記原稿台ガラス上に載置された原稿を前記イメージセンサを用いて読み取る画像読み取り装置において、前記キャリッジを移動させるためのモータと、前記キャリッジ及び前記もモータを制御するための制御基板と、前記キャリッジと前記制御基板間の信号伝送を行うために接続されるフレキシブル型またはカード型のケーブルと、前記制御基板を覆い、且つ、画像読み取り装置の筐体と電気的に接続され、且つ、前記ケーブルに接触させるために前記ケーブルの下側に配置され、且つ、前記筐体との段差を無くすための勾配を持って構成されるノイズ遮蔽板を有することを特徴とする画像読み取り装置。
【発明の詳細な説明】
【０００１】
【発明の属する技術分野】
本発明は、複写機、スキャナ、ファクシミリ、ＭＦＰ（マルチファンクションプリンタ）等の画像読み取り装置に関し、特に、光学系を原稿台ガラスの下面に沿って移動させて、この原稿台ガラス上に載置された原稿をイメージセンサを用いて読み取る画像読み取り装置からの放射ノイズを抑制する放射ノイズ抑制機器構成に関するものである。
【０００２】
【従来の技術】
複写機、スキャナ、ファクシミリ，ＭＦＰ等の画像読み取り装置は、イメージセンサを用いて原稿上の画像を読み取るものが一般的であり、図１、図２に示す構成のものがある。
【０００３】
図１は密着型イメージセンサ（ＣＩＳ：コンタクトイメージセンサ）を用いた画像読み取り装置の概略構成を示す断面図であり、この画像読み取り装置は画像読み取り装置１００、この画像読み取り装置１００に対して着脱自在に構成されたＡＤＦ２００を有している。
【０００４】
図２は、図１の画像読み取り装置１００の概略構成を示す上視図である。
【０００５】
ＡＤＦ２００は給紙トレー２０５にセットされた原稿を搬送ローラ２０３、２０４によって、画像読取装置１００の流し読みガラス１２２に搬送して回収する。この際原稿はＡＤＦ２００に取り付けられたプラテンローラ２０１と画像読取装置１００の流し読みガラス１２２との間を通過し、その通過過程で画像読取装置１００により光学的に走査されて原稿情報が読み取られる。
【０００６】
画像読取装置１００は、キャリッジとしてのＣＩＳ１１０を有し、そのＣＩＳ１１０には、原稿面に対して光を照射するランプ１１１、ランプ１１１にて照射された光に対応する原稿からの反射光をイメージセンサに導くためのセルフォックレンズ１１２、光電変換するためのイメージセンサ１１３、イメージセンサ１１３がマウントされる基板を含む電子回路１１５がケーシング内に一体に収められている。
【０００７】
ＣＩＳ１１０は、タイミングベルト１２６によってステッピングモータ１２５と結ばれ、ステッピングモータ１２５の回転駆動により、ガイドシャフト１１６に沿って、原稿台ガラス１２１、及び流し読みガラス１２２と平行に移動制御される。ポジションセンサ１２４はＣＩＳ１１０のホームポジション位置を検知するためのセンサであり、ポジションセンサ１２４の位置を基準としてステッピングモータ１２５を正転、逆転することにより、ＣＩＳ１１０を移動し、原稿台ガラス１２１、流し読みガラス台１２２上の原稿を光学的に走査する。原稿からの反射光は、セルフォックレンズ１１２によって導かれ、イメージセンサ１１３に集光される。イメージセンサ１１３は、原稿情報を反映した上記反射光を光電変換し、電子的な画像信号として出力する。
【０００８】
また、画像読み取り装置１１０は、装置全体を制御するための制御基板１２８を有し、制御基板１２８とＣＩＳ１１０の電子回路１１５は、フレキシブル型またはカード型のケーブルであるビデオケーブル１２７によって接続される。制御基板１２８はノイズ遮蔽板に覆われている。
【０００９】
図３は、画像読み取り装置の制御系の概略構成を示すブロック図である。画像読み取り装置を制御する制御基板１２８、原稿面に光を照射するランプ１１１、ＣＩＳ１１０を副走査方向に移動し原稿を走査するステッピングモータ１２５、原稿面からの反射光を光電変換するイメージセンサ１１３、ＣＩＳ１１０をホームポジションに位置決めするためのポジションセンサ１２４を有している。
【００１０】
制御基板１２８は、イメージセンサ１１３の出力信号をＡ／Ｄ変換するＡ／Ｄ変換回路３０１、Ａ／Ｄ変換後のデジタル画像信号をシェーディング補正するシェーディング補正回路３０２、画像読み取り装置を制御するＣＰＵ３０６およびＲＡＭ３０３、画像読み取り装置を制御するプログラムが格納されたＲＯＭ３０５、を含んでいる。制御基板１２８からＣＩＳ１１０に対して、ビデオケーブル１２７を介して電源とイメージセンサの駆動信号を供給する。ＣＩＳ１１０から制御基板１２８に対しては、画像信号が出力される。
【００１１】
図４は、原稿を読み取る際の、ＣＩＳ１１０、ビデオケーブル１２７、制御基板１２８、画像読み取り装置の筐体１１０、制御基板１２８を覆うノイズ遮蔽板１２９であるカバー板金の関係を説明する概略構成図である。（ａ）はホームポジション位置における説明図であり、（ｂ）は原稿読み取り途中の説明図であり、（ｃ）は最大走査位置における説明図である。
【００１２】
（ａ）において、制御基板１２８は筐体上に配置され、ビス止めによって筐体とアース接続されている。制御基板１２８を覆うようにノイズ遮蔽板１２９が配置され、ビス止めによって筐体１１０とアース接続されている。ここで、ノイズ遮蔽板１２９は筐体１１０に対して２０ｍｍ程度の高さの差がある。ビデオケーブル１２７は制御基板１２８と接続され、ノイズ遮蔽板１２９の切りかきからノイズ遮蔽板１２９の外側に出される。そして、ノイズ遮蔽板１２９の上面から筐体１１０に沿って這い回され、ＣＩＳ１１０に接続される。ビデオケーブル１２７はノイズ遮蔽板１２９の上面、及び、筐体１１０に接触することになる。
【００１３】
（ｂ）において、ＣＩＳ１１０が走査方向に移動していくと、ＣＩＳ１１０が移動すると共にビデオケーブル１２７が筐体１１０から完全に浮いてしまう位置が存在する。この状態において、ビデオケーブル１２７から、イメージセンサの駆動クロックや画像信号に同期した周波数の放射ノイズレベルが特に悪化するという問題が発生していた。
【００１４】
この放射ノイズの原因は画像読み取り装置において、イメージセンサの駆動時に必要とする通常５ＭＨＺ  程度と高い駆動クロックとそれに同期したイメージセンサからの画像出力信号によるもので、主にビデオケーブルから放射される。ビデオケーブルの長さが駆動クロック波長・画像出力信号波長のＮ倍、または１／Ｎ倍に一致した場合、放射ノイズレベルは悪化する。このように、駆動するハーネスからの放射ノイズの対策に関しては特開平２−３０８６６７号公報に示される方法がある。静電シールドを施した屈曲性のあるビデオケーブルを用いると言うものである。
【００１５】
【発明が解決しようとする課題】
上記のような従来の技術を用いることにより放射ノイズは低減できるが、静電シールドを施したビデオケーブルを用いる場合、次の問題が生じていた。シールドを施すことによる、その屈曲動作によるビデオケーブル自身の耐久性の問題と、ビデオケーブルのコシが強くなることによって原稿台ガラスに接する力が増すことによって発生する傷の問題である。
【００１６】
本発明は上記問題を解決し、放射ノイズの低減をはかるものであり、筐体と高さの差が存在するノイズ遮蔽板を有し、イメージセンサの移動により屈曲しながら移動するビデオケーブルを有する画像読み取り装置において、ビデオケーブルを筐体及びノイズ遮蔽板と接触させながら移動させることで、放射ノイズの発生を低減させるようにした画像読み取り装置を提供することを目的とするものである。
【００１７】
【課題を解決するための手段】
上記目的を達成するために、本発明に係る画像読み取り装置は、イメージセンサを含む光学系を保持したキャリッジを原稿台ガラスの下面に沿って移動させて前記原稿台ガラス上に載置された原稿上の画像を前記イメージセンサを用いて読み取る画像読み取り装置において、前記キャリッジを移動させるためのモータと、前記キャリッジ及び前記モータを制御するための制御基板と、前記キャリッジと前記制御基板間の信号伝送を行うために接続されるフレキシブル型またはカード型のケーブルと、前記制御基板を覆うと共に画像読み取り装置の筐体と電気的に接続されるノイズ遮蔽板と、前記筐体と前記ノイズ遮蔽板との間の高さの差を無くすための勾配を有し、且つ、前記ケーブルに接触させるために前記ケーブルの下側に配置され、且つ、前記筐体と前記ノイズ遮蔽板と電気的に接続される板金を有することを特徴とする。
【００１８】
イメージセンサを含む光学系を保持したキャリッジを原稿台ガラスの下面に沿って移動させて前記原稿台ガラス上に載置された原稿を前記イメージセンサを用いて読み取る画像読み取り装置において、前記キャリッジを移動させるためのモータと、前記キャリッジ及び前記もモータを制御するための制御基板と、前記キャリッジと前記制御基板間の信号伝送を行うために接続されるフレキシブル型またはカード型のケーブルと、前記制御基板を覆い、且つ、画像読み取り装置の筐体と電気的に接続され、且つ、前記ケーブルに接触させるために前記ケーブルの下側に配置され、且つ、前記筐体との段差を無くすための勾配を持って構成されるノイズ遮蔽板を有することを特徴とする。
【００１９】
【発明の実施の形態】
本発明の実施例を図５、図６に基づいて説明する。図５、図６は図４、図２にて示した画像読み取り装置における本発明の実施例を示す構成である。本実施例の説明に使用する部分のみを示し、従来例において説明した部分は図示しないものもある。
【００２０】
図５、図６において、ノイズ遮蔽板１２９と筐体１１０の高さ差を埋めるべく、スロープ板金５０１を設けている。スロープ板金５０１はノイズ遮蔽板１２９と筐体１１０を電気的に接続するように、それぞれにビス止めされている。また、スロープ板金５０１はビデオケーブル１２７の幅以上の幅を持ち、ＣＩＳ１１０の移動によってビデオケーブル１２７が移動して屈曲しても、スロープ板金５０１とビデオケーブル１２７が常に接するような緩やかな角度をもつように配置されている。
【００２１】
更に、図示しないが、スロープ板金５０１とノイズ遮蔽板１２９、及び、スロープ板金５０１と筐体１１０のそれぞれの接続を確実にするように、スロープ板金５０１とノイズ遮蔽板１２９、及び、スロープ板金５０１と筐体１１０のそれぞれの間に、バネ材やガズケットなどの導電性スポンジ材などを挿入しても良い。
【００２２】
本発明の他の実施例について図７，図８に基づいて説明する。図７，図８は図４，図２にて示した画像読み取り装置における本発明の実施例を示す構成である。本実施例の説明に使用する部分のみを示し、従来例において説明した部分は図示しないものもある。
【００２３】
図７、図８において、ノイズ遮蔽板７０１には左側にスロープを設けている。ノイズ遮蔽板７０１はＣＩＳ１１０の移動によってビデオケーブル１２７が移動して屈曲してもビデオケーブル１２７が常に接するような緩やかな角度をもつように構成されている。ノイズ遮蔽板７０１はビデオケーブル１２７の幅以上の幅を持ち、筐体１１０と電気的に接続するようにそれぞれにビス止めされている。
【００２４】
また、更に、図示しないが、ノイズ遮蔽板７０１と筐体１１０の接続を確実にするように、ノイズ遮蔽板７０１と筐体１１０のそれぞれの間に、バネ材やガズケットなどの導電性スポンジ材などを挿入しても良い。
【００２５】
【発明の効果】
以上説明したように、本発明によれば、スロープ板金５０１を設けて、もしくは、ノイズ遮蔽板１２９にスロープを設けて、ビデオケーブル１２７を筐体１００やノイズ遮蔽板１２９などのフレームＧＮＤに沿わせることで電気的に安定すると共に、ビデオケーブル１２７が急激にフレームＧＮＤから離れることで生じる容量結合量の変化を防止でき、放射ノイズを低減できる。
【図面の簡単な説明】
【図１】従来の画像読取装置の構成を示す図である。
【図２】従来の画像読取装置の構成を示す上面図である。
【図３】従来の画像読取装置の制御系の概略構成を示すブロック図である。
【図４】従来の画像読取装置におけるＣＩＳ移動時の説明図である。
【図５】本発明の第１の実施例における画像読取装置の構成を示す図である。
【図６】本発明の第１の実施例における画像読取装置の構成を示す上面図である。
【図７】本発明の第２の実施例における画像読取装置の構成を示す図である。
【図８】本発明の第２の実施例における画像読取装置の構成を示す上面図である。
【符号の説明】
１００  画像読取装置
１１０  ＣＩＳ（コンタクト・イメージ・センサ）
１１１  ランプ
１１２  セルフォックレンズ
１１３  イメージセンサ
１１５  電子回路
１１６  ガイドシャフト
１２１  原稿台ガラス
１２２  流し読みガラス
１２４  ポジションセンサ
１２５  モータ
１２６  タイミングベルト
１２７  ビデオケーブル
１２８  制御基板
１２９  ノイズ遮蔽板
１３０  インバータ
２００  ＡＤＦ（オート・ドキュメント・フィーダー）
２０１  プラテンローラ
２０３  搬送ローラ１
２０４  搬送ローラ２
２０５  給紙トレイ
３０１  Ａ／Ｄ変換回路
３０２  シェーディング補正回路
３０３  ＲＡＭ
３０５  ＲＯＭ
３０６  ＣＰＵ
５０１  スロープ板金
７０１  ノイズ遮蔽板
【図１】
2005017572.tif 000002
【図２】
2005017572.tif 000003
【図３】
2005017572.tif 000004
【図４】
2005017572.tif 000005
【図５】
2005017572.tif 000006
【図６】
2005017572.tif 000007
【図７】
2005017572.tif 000008
【図８】
2005017572.tif 000009